(57)【要約】【課題】塩粒子を含む空気の筐体内への浸入を抑制することでメンテナンス性を向上させることができる筐体を得ること。【解決手段】底板１Ａに貫通孔である空気穴６及び水抜き穴５が形成される箱体１１と、有底の椀状に形成され、内側面である第１面４１１が貫通孔を覆うように箱体１１の内部に設けられる蓋部４１と、蓋部４１の縁部４１ｃから、蓋部４１の径方向外側に伸びて、縁部４１ｃの周囲を囲む環状部４２とを有する蓋部材４とを備える。底板１Ａと環状部４２との間には第１隙間である隙間ａが設けられ、底板１Ａと蓋部４１との間には第１隙間より広い第２隙間である隙間ｂが設けられる。【選択図】図２
2019145678.tif 000002
【特許請求の範囲】
【請求項１】
底板に貫通孔が形成される箱体と、
有底の椀状に形成され、内側面が前記貫通孔を覆うように前記箱体の内部に設けられる蓋部と、前記蓋部の縁部から、前記蓋部の径方向外側に伸びて、前記縁部の周囲を囲む環状部とを有する蓋部材と、
を備え、
前記底板と前記環状部との間には第１隙間が設けられ、
前記底板と前記蓋部との間には前記第１隙間より広い第２隙間が設けられることを特徴とする筐体。
【請求項２】
前記箱体の内部に設けられる回路基板と、
前記箱体の内部に設けられ、空気を循環させるファンと、
前記回路基板に固定され、空気に含まれる塩分を吸着する塩分吸着シートと、
を備え、
前記回路基板は、前記ファンの吹出部と向き合う位置に設けられ、
前記塩分吸着シートは、前記回路基板と前記ファンの吹出部との間も設けられることを特徴とする請求項１に記載の筐体。
【請求項３】
前記蓋部の前記内側面に設けられ、空気に含まれる塩分を吸着する塩分吸着シートを備えることを特徴とする請求項１又は２に記載の筐体。
【請求項４】
前記環状部の前記底板と向き合う面に設けられ、空気に含まれる塩分を吸着する塩分吸着シートを備えることを特徴とする請求項１から３の何れか一項に記載の筐体。
【請求項５】
前記箱体の内部に設けられる回路部品と、
前記箱体の内部に設けられ、空気を循環させるファンと、
前記回路部品への接触を防止するためのインナーカバーと、
前記インナーカバーに設けられ、空気に含まれる塩分を吸着する塩分吸着シートと、
を備え、
前記インナーカバーは、前記ファンの吹出部と向き合う位置に設けられ、
前記塩分吸着シートは、前記インナーカバーと、前記ファンの吹出部との間も設けられることを特徴とする請求項１に記載の筐体。
【請求項６】
前記底板には、前記貫通孔の周囲を囲む筒状の突起部が設けられ、
前記底板から前記突起部の先端までの幅は、前記底板から前記環状部までの幅よりも広いことを特徴とする請求項１から５の何れか一項に記載の筐体。
【請求項７】
前記塩分吸着シートは、塩粒子を吸着する機能を有する複数のシートを積層して構成されていることを特徴とする請求項２又は５に記載の筐体。
【請求項８】
請求項１から７の何れか一項に記載の筐体と、
前記筐体に設けられ、直流電力を交流電力に変換する電力変換回路と、
を備えることを特徴とするパワーコンディショナ。
【発明の詳細な説明】
【技術分野】
【０００１】
本発明は、内部に電気部品が収納される箱形の筐体及び筐体を備えたパワーコンディショナに関する。
【背景技術】
【０００２】
屋外に設置される太陽光発電用パワーコンディショナの筐体には、筐体内部に貯まった水を筐体外部に排出するための水抜き穴が形成される。この筐体が海岸近くの塩害地域に設置される場合、塩粒子を含む空気が水抜き穴から筐体内部に浸入することによって、筐体内部の電気部品が腐食して故障する場合がある。
【０００３】
特許文献１には、塩粒子を吸着するフィルタを筐体の吸気口に設けることによって、筐体内部に設けられる電気部品が腐食することを抑制する技術が開示されている。
【先行技術文献】
【特許文献】
【０００４】
【特許文献１】特開平１１−１９３９４２号公報
【発明の概要】
【発明が解決しようとする課題】
【０００５】
しかしながら、特許文献１に開示される技術では、フィルタに塩粒子が一定量付着するとフィルタが目詰まりして、フィルタによる塩粒子の吸着能力が低下するため、フィルタが目詰まりする前にフィルタの交換が必要になる。従って、フィルタの交換作業が頻繁に発生してメンテナンス性が低下するという課題があった。
【０００６】
本発明は、上記に鑑みてなされたものであって、塩粒子を含む空気の筐体内への浸入を抑制することでメンテナンス性を向上させることができる筐体を得ることを目的とする。
【課題を解決するための手段】
【０００７】
上述した課題を解決し、目的を達成するために、本発明の筐体は、底板に貫通孔が形成される箱体と、有底の椀状に形成され、内側面が貫通孔を覆うように箱体の内部に設けられる蓋部と、蓋部の縁部から、蓋部の径方向外側に伸びて、縁部の周囲を囲む環状部とを有する蓋部材とを備える。底板と環状部との間には第１隙間が設けられ、底板と蓋部との間には第１隙間より広い第２隙間が設けられることを特徴とする。
【発明の効果】
【０００８】
本発明によれば、塩粒子のフィルタへの付着を低減させることでメンテナンス性を向上させることができるという効果を奏する。
【図面の簡単な説明】
【０００９】
【図１】本発明の実施の形態１に係る筐体を備えるパワーコンディショナの外観図
【図２】図１に示す箱体に設置された蓋部材との断面図
【図３】図２に示す蓋部材の拡大図
【図４】本発明の実施の形態１の変形例に係る筐体の箱体に設置された蓋部材の断面図
【図５】本発明の実施の形態２に係る筐体の箱体の断面図
【発明を実施するための形態】
【００１０】
以下に、本発明の実施の形態に係る筐体及び筐体を備えたパワーコンディショナを図面に基づいて詳細に説明する。なお、この実施の形態によりこの発明が限定されるものではない。
【００１１】
実施の形態１．
図１は本発明の実施の形態１に係る筐体を備えるパワーコンディショナの外観図である。図２は図１に示す箱体に設置された蓋部材との断面図である。図３は図２に示す蓋部材の拡大図である。
【００１２】
図１に示すパワーコンディショナ１００は、太陽電池パネルから出力される直流電力又は蓄電池から出力される直流電力を、交流電力に変換して、家庭内負荷へ供給し又は電力系統に送る電力変換機器である。
【００１３】
図１では、左手系のＸＹＺ座標において、パワーコンディショナ１００の上下方向をＸ軸方向とし、Ｘ軸方向と直交する方向をＹ軸方向とし、Ｘ軸方向とＹ軸方向の双方に直交する方向をＺ軸方向とする。Ｘ軸方向は、パワーコンディショナ１００の縦幅方向に等しく、また鉛直方向に等しい。Ｙ軸方向は、パワーコンディショナ１００の奥行き方向に等しく、また水平方向に等しい。Ｚ軸方向は、パワーコンディショナ１００の横幅方向に等しく、また水平方向に等しい。上記の各軸方向は、図２以降の各図においても同様とする。
【００１４】
パワーコンディショナ１００は、壁掛金具２、筐体１及び電気部品３を備える。筐体１は、底板１Ａに貫通孔が形成される箱体１１を備える。壁掛金具２は、箱体１１を、例えば建物の壁面に固定するための箱形の部材であり、箱体１１と建物の壁面との間に設けられる。壁掛金具２には箱体１１が固定される。
【００１５】
箱体１１は、内部に電気部品３が収納される箱形の収容体である。箱体１１の形状は、長方形に限定されず正方形状でもよい。箱体１１の材料には、銅合金、鋳鉄、鋼、鉄合金、アルミニウム合金、オーステナイト系ステンレス合金などの金属を例示できる。箱体１１は、例えば金属板を絞り加工で箱形に形成したものでもよいし、十字形状の金属板を折り曲げ加工して、突き合わせ部分を溶接することによって箱形に形成したものでもよい。なお、また箱体１１の材料は、金属に限定されず、ポリブチレンテレフタレート、ポリフェニレンサルファイド又は液晶ポリマーといった絶縁性の樹脂でもよい。箱体１１の材料が樹脂の場合、箱体１１は、例えば、絶縁性の樹脂を用いてダイカストにより一体成型で製造される。
【００１６】
箱体１１の前側には開口部が形成され、箱体１１にはこの開口部を塞ぐ不図示の扉又は板が設置される。
【００１７】
電気部品３には、複数の回路基板３Ａ１，３Ａ２と、回路基板３Ａ２に設けられる回路部品３Ｂと、回路部品３Ｂを冷却するためのファン３Ｃとが含まれる。
【００１８】
回路基板３Ａ１は、回路基板３Ａ１の基板面がＸＹ平面と平行になるように、箱体１１内部に設置される。回路基板３Ａ１は、ファン３Ｃの吹出部３Ｃ１と向き合う位置に設けられる。
【００１９】
回路基板３Ａ１には、サポータ１４を介して塩分吸着シート８が設けられる。サポータ１４は、回路基板３Ａ１の基板面から一定距離離れた位置に塩分吸着シート８を固定するための部材である。塩分吸着シート８は、箱体１１内に存在する空気に含まれる塩粒子を吸着するためのシートである。
【００２０】
塩分吸着シート８は、回路基板３Ａ１とファン３Ｃの吹出部３Ｃ１との間も設けられる。すなわち塩分吸着シート８は、ファン３Ｃの吹出部３Ｃ１と向き合う位置に設けられる。塩分吸着シート８は、塩粒子を吸着可能な不織布繊維をシート状に形成したものでもよいし、板状の金属又は樹脂の表面に塩分吸着剤を塗布したものでもよい。塩分吸着剤は、例えばカルシウム及びアルミニウムの複合水酸化物と、亜硝酸イオンとを組み合わせたものであり、塩化物イオンを吸着して、亜硝酸イオンを放出するイオン交換機能を有している。
【００２１】
箱体１１内部で循環する空気が塩分吸着シート８に当たることにより、空気に含まれる塩粒子が塩分吸着シート８に捕捉されるため、回路基板３Ａ１、回路基板３Ａ２及び回路部品３Ｂへの塩粒子の付着が抑制される。
【００２２】
なお、塩分吸着シート８は、塩粒子を吸着する機能を有する１つのシートでもよいし、当該機能を有するシートを複数枚積層して、１つずつ剥がせるように貼り付け構成されたものでもよい。積層された塩分吸着シート８を用いることにより、パワーコンディショナ１００の点検時に、塩粒子が付着した１つのシートを剥がすだけで、塩粒子が付着していないシートの表面が露出するため、塩粒子を吸着する機能を回復させることができる。
【００２３】
回路基板３Ａ２は、回路基板３Ａ２の基板面がＸＺ平面と平行になるように、箱体１１内部に設置される。
【００２４】
回路基板３Ａ２に設けられる回路部品３Ｂは、例えば、直流電力を交流電力に変換する電力変換回路を構成する昇圧トランス、リアクトル、パワーモジュールなどである。パワーモジュールは、インバータモジュール、コンバータモジュールなどである。なお、電気部品３には、回路基板３Ａ２に設けられる回路部品３Ｂ以外にも、例えば、回路基板３Ａ１に設けられる半導体素子、箱体１１に設置される遮断器なども含まれる。
【００２５】
ファン３Ｃは、箱体１１内部の空気を循環させて箱体１１内部の温度を均一化させることにより、回路基板３Ａ２に設けられる回路部品３Ｂ、回路基板３Ａ１に設けられる半導体素子などを冷却する冷却手段である。
【００２６】
符号３０で示される矢印は、ファン３Ｃが動作することにより、箱体１１内部で発生した空気流であり、空気流は、箱体１１内部で循環する。
【００２７】
図１では、ファン３Ｃが箱体１１の底板１Ａに設置され、ファン３Ｃの吹出部３Ｃ１が回路基板３Ａ１の基板面と向き合っている。なお、ファン３Ｃの設置位置は、箱体１１内部に空気流を発生させる位置であればよく、箱体１１の底板１Ａ以外の位置でもよい。
【００２８】
図２に示すように、箱体１１の底板１Ａには、水抜き穴５及び空気穴６が形成され、さらに突起部４３、突起部１２及び蓋部材４が設けられる。
【００２９】
水抜き穴５は、箱体１１内部に貯まった水を箱体１１外部に排出するための貫通孔であり、その直径は３ｍｍ以上である。水抜き穴５の直径を３ｍｍ以上に設定することにより、箱体１１内部に貯まった水が、表面張力により水抜き穴５から箱体１１外部へ排水され難くなることを抑制できる。空気穴６は、箱体１１内部の気圧を箱体１１外部の気圧と等しくするための貫通孔であり、その直径は３ｍｍ未満である。空気穴６の直径を３ｍｍ未満に設定することにより、箱体１１外部の水が、表面張力により空気穴６を通過し難くなるため、箱体１１外部から箱体１１内部への水の浸入を防止できる。
【００３０】
突起部４３は、空気穴６の周囲を囲むように、底板１Ａの内側面に設けられている。突起部４３は、箱体１１の底板１Ａから、箱体１１の上板１Ｂに向かって伸びる筒状部材である。突起部４３の高さｃは、箱体１１の底板１Ａから突起部４３の先端までの寸法に相当する。
【００３１】
突起部１２は、箱体１１の底板１Ａから、箱体１１の上板１Ｂに向かって伸びる柱状部材であり、ねじボスとして機能する。
【００３２】
蓋部材４は、蓋部４１及び環状部４２により構成される。蓋部４１は、箱体１１の底板１Ａと向き合う内側面である第１面４１１と、第１面４１１とは逆側の第２面４１２とを有する。蓋部４１は、第１面４１１から第２面４１２に向かう方向に突出する有底の椀状に形成される。蓋部４１は、例えば金属製の板を絞り加工で椀形に形成したものでもよいし、箱体１１と同じ材料を用いてダイカストにより一体成型で製造したものでもよい。蓋部４１は、第１面４１１が水抜き穴５及び空気穴６を覆うように、箱体１１の内部に設けられる。
【００３３】
突起部１２の先端は、蓋部４１の第１面４１１に接している。図３に示すように、蓋部４１の底部４１Ａには、貫通孔４１Ｂが形成される。
【００３４】
図２に示すように、蓋部４１の第２面４１２側から貫通孔４１Ｂに向けて挿入されたねじ２０が、突起部１２にねじ込まれることにより、蓋部４１が突起部１２に固定される。
【００３５】
蓋部材４の環状部４２は、蓋部４１の縁部４１ｃから、蓋部４１の径方向外側に伸びて、縁部４１ｃの周囲を囲む環状の部材である。
【００３６】
蓋部４１が突起部１２に接した状態で、底板１Ａと環状部４２との間には、第１隙間である隙間ａが形成される。隙間ａは、底板１Ａに貯まった水を、蓋部材４の周囲から水抜き穴５に向かって流すことができる幅に調整される。隙間ａは例えば１ｍｍである。
【００３７】
なお、環状部４２の底板１Ａ側の端面４２ａは、底板１Ａの内側面と平行に設けてもよいし、隙間ａを設けることができれば、底板１Ａの内側面に対して斜めに設けてもよい。端面４２ａは、環状部４２の水抜き穴５側及び空気穴６側の端面である。
【００３８】
図２に示す突起部４３は、ａ＜ｃの関係が満たされるように形成される。すなわち、底板１Ａから突起部４３の先端までの幅は、底板１Ａから環状部４２までの幅よりも広い。
【００３９】
この関係性を満たすように突起部４３が形成されることにより、隙間ａを介して空気穴６の周囲に流れてきた水で空気穴６が水没することを抑制できる。そのため、箱体１１外部の空気が空気穴６を介して箱体１１内部へ取り込まれ、箱体１１内部の気圧を箱体１１外部の気圧と等しくすることができる。これにより、箱体１１の底板１Ａに貯まった水を水抜き穴５から排出することができる。
【００４０】
蓋部４１の底部４１Ａには、第１面４１１側に塩分吸着シート７が設けられる。塩分吸着シート７は、突起部１２の周囲全体を取り囲む環状の板状に形成したものでもよいし、突起部１２の周囲において互いに離れて設けられる複数の部材で構成してもよい。
【００４１】
塩分吸着シート７は、塩分吸着シート８と同様に、塩粒子を吸着可能な不織布繊維をシート状に形成したものでもよいし、板状の金属又は樹脂の表面に塩分吸着剤を塗布したものでもよい。
【００４２】
塩分吸着シート７を設けることにより、水抜き穴５又は空気穴６から、蓋部材４の内側に浸入した空気に含まれる塩粒子が捕捉されるため、図１に示す塩分吸着シート８のみを設けた場合に比べて、回路基板３Ａ１、回路基板３Ａ２及び回路部品３Ｂへの塩粒子の付着がより一層抑制される。
【００４３】
図２に示すように、水抜き穴５及び空気穴６を覆うように、延伸部材２Ａが設けられる。延伸部材２Ａは、図１に示す壁掛金具２の底板から、箱体１１の前面側に向かって伸びる板状の部材である。延伸部材２Ａは、箱体１１の底板１Ａと平行に、底板１Ａの下側に設けられている。
【００４４】
底板１Ａと延伸部材２Ａとの間には隙間ｄが設けられている。隙間ｄを設けることにより、水抜き穴５から流れ出た水が隙間ｄを通り、箱体１１外部に排出される。また、台風、防風などが発生した場合でも、水抜き穴５に風が当たり難くなり、水抜き穴５から箱体１１外部に流れ出た水が、水抜き穴５を介して箱体１１内部に逆流することを防止できる。
【００４５】
図２に示される第２隙間である隙間ｂは、塩分吸着シート７の表面から箱体１１の底板１Ａまでの幅に相当する。隙間ｂは隙間ａよりも広い。蓋部材４は、ａ＜ｂの関係が満たされるように形成される。
【００４６】
蓋部材４を箱体１１に設けることにより、蓋部材４の外側から隙間ａに流れ込んだ空気流３０の速度は、隙間ａに流れ込む前の空気流３０の速度よりも低下する。その後、隙間ａを通過した空気流３０は、隙間ｂに流れ込むときに膨張して、その速度がより一層低下する。このような空気の流れは循環流によって生じる。
【００４７】
蓋部材４が設けられていない場合、空気流３０が水抜き穴５及び空気穴６の上部を通過することによって、水抜き穴５及び空気穴６に作用する箱体１１内部の圧力が外気圧力に対して低くなるため、水抜き穴５又は空気穴６から外気が浸入するおそれがある。なお、水抜き穴５及び空気穴６の上部を通過する空気の速度が大きいほど、箱体１１内部の圧力が外気圧力に対して低くなる。
【００４８】
実施の形態１に係る箱体１１では、水抜き穴５及び空気穴６の上部を覆うように蓋部材４が設けられているため、蓋部材４が設けられていない場合に比べて、水抜き穴５及び空気穴６の上部を通過する空気流３０の速度が低下する。そのため、水抜き穴５及び空気穴６と、蓋部材４との間の圧力の低下が抑制され、水抜き穴５又は空気穴６から外気が浸入し難くなる。
【００４９】
なお、パワーコンディショナ１００が停止し、又は雨、雪などが箱体１１に付着することによって、箱体１１内部の温度が低下して、箱体１１内部の圧力が外気圧力よりも低下した場合、水抜き穴５及び空気穴６から箱体１１の内部に外気が浸入し、蓋部４１と底板１Ａとの間の空間に空気の対流が生じる。
【００５０】
浸入した外気は、蓋部４１と底板１Ａとの間の空間で対流を生じた後、隙間ａを通過する。隙間ａの流路の抵抗によって、隙間ａを通過する外気の速度が低下するため、箱体１１内部への外気の流入量が低減される。その結果、箱体１１内部の温度が低下した場合でも、回路基板３Ａ１、回路基板３Ａ２及び回路部品３Ｂへの塩粒子の付着が抑制される。
【００５１】
また、蓋部４１と底板１Ａとの間の空間に外気の対流が生じるとき、浸入した外気に含まれる塩粒子が塩分吸着シート７に捕捉される。そのため、隙間ａを通過する外気に含まれる塩粒子の濃度は、塩分吸着シート７が設けられていない場合に比べて、低下する。その結果、回路基板３Ａ１、回路基板３Ａ２及び回路部品３Ｂへの塩粒子の付着がより一層抑制される。
【００５２】
なお、従来技術には、例えば、ファン３Ｃから吹き出される空気が電気回路へ直接当たらないように、ファン３Ｃと電気回路との間に防風壁を設けるものがある。防風壁を設けることによって、ファン３Ｃから吹き出される空気に含まれる塩粒子の電気回路への付着を抑制することができる。しかしながら、ファン３Ｃと電気回路との間に防風壁を設けた場合、電気回路を十分に冷却できず、箱体１１の内部温度が上昇して、電気回路の寿命が短くなる場合がある。また、防風壁に塩粒子が付着するため、潮解性を有する塩粒子によって防風壁が腐食しないように、特殊な材料で防風壁を製造する必要がある。そのため、箱体１１の製造コストが上昇する。
【００５３】
これに対して実施の形態１に係る箱体１１では、防風壁を設けなくとも、塩粒子の電気回路への付着を抑制することができる。また蓋部材４に当たる空気量は、また防風壁に当たる空気量に比べて少ないため、腐食対策のために蓋部材４を特別な材料で製造する必要がない。
【００５４】
なお、実施の形態１に係る箱体１１は、内部に電気部品３が設けられる収容体であれば、パワーコンディショナ１００用の収納体に限定されず、例えばモータを駆動する電力変換器が内蔵される収容体でもよいし、通信機器用の収納体でもよい。
【００５５】
また、実施の形態１に係る箱体１１には、底板１Ａに空気穴６が形成されているが、空気穴６を設ける位置は、箱体１１の底板１Ａ以外の場所でもよい。
【００５６】
図４は本発明の実施の形態１の変形例に係る筐体の箱体に設置された蓋部材の断面図である。図４に示す蓋部材４Ａの環状部４２には、塩分吸着シート２７が設けられている。塩分吸着シート２７は、底板１Ａ側の端面４２ａ、すなわち環状部４２の底板１Ａと向き合う面に設けられる。
【００５７】
塩分吸着シート２７は、環状の板状に形成したものでもよいし、端面４２ａの周方向に互いに離れて設けられる複数の部材で構成してもよい。塩分吸着シート２７は、塩分吸着シート８と同様に、塩粒子を吸着可能な不織布繊維をシート状に形成したものでもよいし、板状の金属又は樹脂の表面に塩分吸着剤を塗布したものでもよい。
【００５８】
塩分吸着シート２７を設けることにより、水抜き穴５又は空気穴６から蓋部材４の内側に浸入した空気が、塩分吸着シート２７と底板１Ａとの間を通過する際、この空気に含まれる塩粒子が塩分吸着シート２７で捕捉されるため、図１に示す塩分吸着シート８のみを設けた場合に比べて、回路基板３Ａ１、回路基板３Ａ２及び回路部品３Ｂへの塩粒子の付着がより一層抑制される。
【００５９】
なお、蓋部材４Ａには、図４に示す塩分吸着シート２７に加えて、図３に示す塩分吸着シート７を設けてもよい。これにより、蓋部材４Ａの内側に浸入した空気に含まれる塩粒子が、塩分吸着シート７及び塩分吸着シート２７で捕捉されるため、塩分吸着シート２７のみを設けた場合に比べて、回路基板３Ａ１、回路基板３Ａ２及び回路部品３Ｂへの塩粒子の付着がより一層抑制される。
【００６０】
蓋部材４Ａの蓋部４１が突起部１２に接した状態で、塩分吸着シート２７の底板１Ａ側の端面２７ａと底板１Ａとの間には隙間ａ’が形成される。隙間ａ’は、底板１Ａに貯まった水を、蓋部材４の周囲から水抜き穴５に向かって流すことができる幅に調整される。
【００６１】
図４に示す突起部４３は、ａ’＜ｃの関係が満たされるように形成される。この関係性を満たすように突起部４３が形成されることにより、箱体１１の底板１Ａに水が貯まった場合でも、空気穴６が水没することを抑制できるため、箱体１１外部の空気が空気穴６を介して箱体１１内部へ取り込まれ、箱体１１内部の気圧を箱体１１外部の気圧と等しくすることができる。これにより、箱体１１の底板１Ａに貯まった水を水抜き穴５から排出することができる。
【００６２】
実施の形態２．
図５は本発明の実施の形態２に係る筐体の箱体の断面図である。図５に示される箱体１１Ａは、インナーカバー４４を備える。インナーカバー４４は、例えば電気部品３のメンテナンス時に作業者の身体の一部、作業用の工具などが、回路部品に接触することを防ぐために設けられる。インナーカバー４４は、例えば箱体１１Ａの上板１Ｂ又は底板１Ａに固定され、箱体１１Ａの開口部を塞ぐ扉９と塩分吸着シート８との間に設けられる。
【００６３】
なお、箱体１１Ａの前側には防水パッキン１０が設けられている。防水パッキン１０を設けることにより、扉９が防水パッキン１０に接して、箱体１１Ａ内の機密性が向上する。
【００６４】
インナーカバー４４には塩分吸着シート４５が設けられている。塩分吸着シート４５は、塩分吸着シート８と同様に、箱体１１Ａ内に存在する空気に含まれる塩粒子を吸着するためのシートであり、塩粒子を吸着可能な不織布繊維をシート状に形成したものでもよいし、板状の金属又は樹脂の表面に塩分吸着剤を塗布したものでもよい。
【００６５】
インナーカバー４４は、ファン３Ｃの吹出部３Ｃ１と向き合う位置に設けられている。塩分吸着シート４５は、インナーカバー４４と、ファン３Ｃの吹出部３Ｃ１との間に設けられる。ファン３Ｃから吹き出された空気が塩分吸着シート４５に当たることにより、空気に含まれる塩粒子が塩分吸着シート４５に捕捉されるため、塩分吸着シート８のみ用いた場合に比べて、回路基板３Ａ１、回路基板３Ａ２及び回路部品３Ｂへの塩粒子の付着がより一層抑制される。
【００６６】
なお、塩分吸着シート４５は、塩粒子を吸着する機能を有する１つのシートでもよいし、当該機能を有するシートを複数枚積層、１つずつ剥がせるように貼り付け構成されたものでもよい。積層された塩分吸着シート４５を用いることにより、パワーコンディショナ１００の点検時に、塩粒子が付着した１つのシートを剥がすだけで、塩粒子が付着していないシートの表面が露出するため、塩粒子を吸着する機能を回復させることができる。
【００６７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６８】
１  筐体、１Ａ  底板、１Ｂ  上板、２  壁掛金具、２Ａ  延伸部材、３  電気部品、３Ａ１，３Ａ２  回路基板、３Ｂ  回路部品、３Ｃ  ファン、３Ｃ１  吹出部、４，４Ａ  蓋部材、５  水抜き穴、６  空気穴、７，８，２７，４５  塩分吸着シート、９  扉、１０  防水パッキン、１１，１１Ａ  箱体、１２，４３  突起部、１４  サポータ、２０  ねじ、２７ａ，４２ａ  端面、３０  空気流、４１  蓋部、４１Ａ  底部、４１Ｂ  貫通孔、４１ｃ  縁部、４２  環状部、４４  インナーカバー、１００  パワーコンディショナ、４１１  第１面、４１２  第２面。
【図１】
2019145678.tif 000003
【図２】
2019145678.tif 000004
【図３】
2019145678.tif 000005
【図４】
2019145678.tif 000006
【図５】
2019145678.tif 000007